【手続補正書】
【提出日】平成24年2月27日(2012.2.27)
【手続補正１】
【補正対象書類名】明細書
【補正対象項目名】０００９
【補正方法】変更
【補正の内容】
【０００９】
上記目的を達成するため、本発明の第１の観点にかかる撮像装置は、
被写体の撮像光を電気信号に変換する撮像素子と、
前記撮像光の透過光量を制御する絞り手段と、
被写体像の明るさを検出する測光手段と、
前記測光手段が検出した被写体像の明るさに基づいて、絞り値、露光時間を決定する露出決定手段と、
前記露出決定手段が決定した絞り値に基づいて、前記絞り手段を制御する絞り制御手段と、
前記露出決定手段が決定した露光時間に基づいて、前記撮像素子が電荷を蓄積する時間を制御する露光制御手段と、
前記撮像素子から出力された前記電気信号のゲインを調整するゲイン調整手段と、
を備える撮像装置であって、
前記絞り手段の駆動が前記露光時間に基づく露光開始までに完了するか否かを判別する判別手段をさらに備え、
前記露出決定手段は、前記絞り手段の駆動が露光開始までに完了しない場合、決定した露光時間を短縮し、前記ゲイン調整手段は、当該露光時間の短縮に応じてゲインを上げる、
ことを特徴とする。
【手続補正２】
【補正対象書類名】明細書
【補正対象項目名】００１０
【補正方法】変更
【補正の内容】
【００１０】
上記撮像装置において、
前記露出決定手段が決定した絞り値となるよう前記絞り手段を駆動するために要する絞り駆動時間を特定する絞り駆動時間特定手段をさらに備え、
前記判別手段は、前記絞り駆動時間特定手段が特定した絞り駆動時間に基づいて、前記絞り手段の駆動が前記露光時間に基づく露光開始までに完了するか否かを判別することが望ましい。
上記撮像装置において、
前記絞り駆動時間を示す絞り駆動時間情報を記憶する記憶手段をさらに備え、
前記絞り駆動時間特定手段は、前記記憶手段が記憶する絞り駆動時間情報に基づいて絞り駆動時間を特定することが望ましい。
上記撮像装置において、
前記絞り手段は、ターレット絞りであることが望ましい。
【手続補正３】
【補正対象書類名】明細書
【補正対象項目名】００１１
【補正方法】変更
【補正の内容】
【００１１】
上記撮像装置において、
前記判別手段は、前記撮像装置で動画像を撮像する際に動作することが望ましい。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
上記撮像装置において、
前記露出決定手段は、前記絞り手段の駆動が露光開始までに完了しない場合、決定した露光時間を１／ｎ倍にし、前記ゲイン調整手段は、ゲインをｎ倍に調整してもよい。
【手続補正６】
【補正対象書類名】明細書
【補正対象項目名】００１５
【補正方法】変更
【補正の内容】
【００１５】
上記目的を達成するため、本発明の第２の観点にかかる露出調整方法は、
ターレット絞りを備える撮像装置で動画撮像をおこなう際の露出を調整する方法であって、
被写体像の明るさに基づいて絞り値、露光時間を決定する露出決定ステップと、
決定された絞り値とするための前記ターレット絞りの駆動時間が、前記動画撮像のフレームレートに基づくブランキング期間内に完了するか否かを判別する判別ステップと、
前記駆動時間がブランキング期間内に完了しないと判別された場合、前記露出決定ステップで決定された前記露光時間を短縮するとともに当該露光時間の短縮に応じて撮像信号のゲインを上げて当該フレームの撮像をおこなう撮像制御ステップと、
を含むことを特徴とする。
【手続補正７】
【補正対象書類名】明細書
【補正対象項目名】００１６
【補正方法】変更
【補正の内容】
【００１６】
上記目的を達成するため、本発明の第３の観点にかかるプログラムは、
被写体の撮像光を電気信号に変換する撮像素子と、
前記撮像光の透過光量を制御する絞り手段と、
被写体像の明るさを検出する測光手段と、
前記測光手段が検出した被写体像の明るさに基づいて、絞り値、露光時間を決定する露出決定手段と、
前記露出決定手段が決定した絞り値に基づいて、前記絞り手段を制御する絞り制御手段と、
前記露出決定手段が決定した露光時間に基づいて、前記撮像素子が電荷を蓄積する時間を制御する露光制御手段と、
前記撮像素子から出力された前記電気信号のゲインを調整するゲイン調整手段と、
を備える撮像装置を制御するコンピュータに、
前記絞り手段の駆動が前記露光時間に基づく露光開始までに完了するか否かを判別する機能と、
前記絞り手段の駆動が露光開始までに完了しない場合、前記露出決定手段が決定した露光時間を短縮するとともに、当該露光時間の短縮に応じて前記ゲイン調整手段が調整するゲインを上げる機能と、
を実現させることを特徴とする。
【手続補正８】
【補正対象書類名】特許請求の範囲
【補正対象項目名】全文
【補正方法】変更
【補正の内容】
【特許請求の範囲】
【請求項１】
被写体の撮像光を電気信号に変換する撮像素子と、
前記撮像光の透過光量を制御する絞り手段と、
被写体像の明るさを検出する測光手段と、
前記測光手段が検出した被写体像の明るさに基づいて、絞り値、露光時間を決定する露出決定手段と、
前記露出決定手段が決定した絞り値に基づいて、前記絞り手段を制御する絞り制御手段と、
前記露出決定手段が決定した露光時間に基づいて、前記撮像素子が電荷を蓄積する時間を制御する露光制御手段と、
前記撮像素子から出力された前記電気信号のゲインを調整するゲイン調整手段と、
を備える撮像装置において、
前記絞り手段の駆動が前記露光時間に基づく露光開始までに完了するか否かを判別する判別手段をさらに備え、
前記露出決定手段は、前記絞り手段の駆動が露光開始までに完了しない場合、決定した露光時間を短縮し、前記ゲイン調整手段は、当該露光時間の短縮に応じてゲインを上げる、
ことを特徴とする撮像装置。
【請求項２】
前記露出決定手段が決定した絞り値となるよう前記絞り手段を駆動するために要する絞り駆動時間を特定する絞り駆動時間特定手段をさらに備え、
前記判別手段は、前記絞り駆動時間特定手段が特定した絞り駆動時間に基づいて、前記絞り手段の駆動が前記露光時間に基づく露光開始までに完了するか否かを判別する、
ことを特徴とする請求項１に記載の撮像装置。
【請求項３】
前記絞り駆動時間を示す絞り駆動時間情報を記憶する記憶手段をさらに備え、
前記絞り駆動時間特定手段は、前記記憶手段が記憶する絞り駆動時間情報に基づいて絞り駆動時間を特定する、
ことを特徴とする請求項２に記載の撮像装置。
【請求項４】
前記絞り手段は、ターレット絞りである、
ことを特徴とする請求項１乃至３のいずれか１項に記載の撮像装置。
【請求項５】
前記判別手段は、前記撮像装置で動画像を撮像する際に動作する、
ことを特徴とする請求項１乃至４のいずれか１項に記載の撮像装置。
【請求項６】
前記判別手段は、動画撮像にかかるフレームレートに基づいて、前記絞り手段の駆動が露光開始までに完了するか否かを判別する、
ことを特徴とする請求項５に記載の撮像装置。
【請求項７】
前記露出決定手段は、前記絞り手段の駆動が露光開始までに完了しない場合、決定した露光時間を１／ｎ倍にし、前記ゲイン調整手段は、ゲインをｎ倍に調整する、
ことを特徴とする請求項１乃至６のいずれか１項に記載の撮像装置。
【請求項８】
ターレット絞りを備える撮像装置で動画撮像をおこなう際の露出を調整する方法であって、
被写体像の明るさに基づいて絞り値、露光時間を決定する露出決定ステップと、
決定された絞り値とするための前記ターレット絞りの駆動時間が、前記動画撮像のフレームレートに基づくブランキング期間内に完了するか否かを判別する判別ステップと、
前記駆動時間がブランキング期間内に完了しないと判別された場合、前記露出決定ステップで決定された前記露光時間を短縮するとともに当該露光時間の短縮に応じて撮像信号のゲインを上げて当該フレームの撮像をおこなう撮像制御ステップと、
を含むことを特徴とする露出調整方法。
【請求項９】
被写体の撮像光を電気信号に変換する撮像素子と、
前記撮像光の透過光量を制御する絞り手段と、
被写体像の明るさを検出する測光手段と、
前記測光手段が検出した被写体像の明るさに基づいて、絞り値、露光時間を決定する露出決定手段と、
前記露出決定手段が決定した絞り値に基づいて、前記絞り手段を制御する絞り制御手段と、
前記露出決定手段が決定した露光時間に基づいて、前記撮像素子が電荷を蓄積する時間を制御する露光制御手段と、
前記撮像素子から出力された前記電気信号のゲインを調整するゲイン調整手段と、
を備える撮像装置を制御するコンピュータに、
前記絞り手段の駆動が前記露光時間に基づく露光開始までに完了するか否かを判別する機能と、
前記絞り手段の駆動が露光開始までに完了しない場合、前記露出決定手段が決定した露光時間を短縮するとともに、当該露光時間の短縮に応じて前記ゲイン調整手段が調整するゲインを上げる機能と、
を実現させることを特徴とするプログラム。